(57)【要約】本発明はスイッチギアキャビネット（３００）の筐体フレーム（２００）にパネル（１００）を固定するためのパネルホルダ（１）に関し、パネルホルダ（１）は開いている留め金であり、パネルホルダ（１）は、２つの自由な押し込み部（２，３）を有し、押し込み部（２，３）は、筐体フレーム（２００）の収納部（２０１）に係合するために、お互いに対して固定でき、押し込み部（２，３）は、パネル（１００）用の固定フランジ（５）によりお互いに接続され、当該固定フランジ（５）がねじ山付きの通路（４）、特にねじ孔を有し、固定フランジ（５）は、押し込み部（２，３）の一方から離れて配置され、ねじ山付きの通路（４）は、押し込み部（２）と整列して配置され、ねじ山付きの通路（４）を通って螺入されたねじ（４００）が、当該ねじ山付きの通路（４）と整列した押し込み部（２）と衝突し、したがって、前記ねじ（４００）が押し込み部（２，３）をお互いに対して固定するようにしている。これと対応するスイッチギアキャビネットもまた記載されている。【選択図】図６
2019522452.tif 000002
【特許請求の範囲】
【請求項１】
スイッチギアキャビネット（３００）の筐体フレーム（２００）にパネル（１００）を固定するためのパネルホルダ（１）であって、
前記パネルホルダ（１）は開いている留め金であり、
前記パネルホルダ（１）は、２つの自由な押し込み部（２，３）を有し、
前記押し込み部（２，３）は、前記筐体フレーム（２００）の収納部（２０１）に係合するために、お互いに対して固定でき、
前記押し込み部（２，３）は、前記パネル（１００）用の固定フランジ（５）によりお互いに接続され、当該固定フランジ（５）がねじ山付きの通路（４）を有し、
前記固定フランジ（５）は、前記押し込み部（２，３）の一方から離れて配置され、
前記ねじ山付きの通路（４）は、前記押し込み部（２）と整列して配置され、
前記ねじ山付きの通路（４）を通って螺入されたねじ（４００）が、当該ねじ山付きの通路（４）と整列した前記押し込み部（２）と衝突し、したがって、前記ねじ（４００）が前記押し込み部（２，３）をお互いに対して固定するようにしていることを特徴とするパネルホルダ（１）。
【請求項２】
前記ねじ山付きの通路（４）と整列した前記押し込み部（２）が前記ねじ山付きの通路（４）を通って螺入されたねじ（４００）のための偏向面（６）を有し、
前記偏向面（６）は、少なくとも前記パネルホルダ（１）の弛緩状態において、前記固定フランジ（５）に対して非平行に延び、好ましくは前記固定フランジ（５）に対して10°から60°の角度で延び、特に好ましくは前記固定フランジ（５）に対して20°から50°の角度で延びていることを特徴とする請求項１記載のパネルホルダ（１）。
【請求項３】
前記ねじ山付きの通路（４）と整列した前記押し込み部（２）が、湾曲した固定部（７）により前記固定フランジ（５）に接続され、
前記ねじ山付きの通路（４）と整列した前記押し込み部（２）が、前記湾曲した固定部（７）の反対側に向くその端部（８）で、前記筐体フレーム（２００）に係合するための自由な押し込み突起（９）を有していることを特徴とする請求項１または２に記載のパネルホルダ（１）。
【請求項４】
前記押し込み突起（９）は、前記ねじ山付きの通路（４）と整列した前記押し込み部（２）の、前記湾曲した固定部（７）の反対側に向く前記端部（８）の接触側面（１０）から突出し、
前記接触側面（１０）は、ギアの歯（１１）または当接爪を有していることを特徴とする請求項３記載のパネルホルダ（１）。
【請求項５】
他方の前記押し込み部（３）は、前記パネルホルダ（１）の外側（１３）で前記固定フランジ（５）の反対側に向くその端部（１２）にフック部（１４）を有していることを特徴とする請求項１〜４のいずれか１項に記載のパネルホルダ（１）。
【請求項６】
前記パネルホルダ（１）は、一体的に統合された板金形状部品からのみで構成されることを特徴とする請求項１〜５のいずれか１項に記載のパネルホルダ（１）。
【請求項７】
前記ねじ山付きの通路（４）が、前記固定フランジ（５）を貫通するねじ孔、あるいは前記固定フランジ（５）を貫通する通路開口部（１５）に固定された圧入ナットまたは溶接ナットであることを特徴とする請求項１〜６のいずれか１項に記載のパネルホルダ（１）。
【請求項８】
中空のプロファイル部材として形成される垂直の支柱（２０３）および水平の支柱（２０２）で作成されている筐体フレーム（２００）を有するスイッチギアキャビネット（３００）であって、
請求項１〜７のいずれか１項に記載のパネルホルダ（１）により、少なくとも１枚のパネルが、前記筐体フレームの外側に固定されていることを特徴とするスイッチギアキャビネット（３００）。
【請求項９】
前記垂直な支柱（２０３）および前記水平な支柱（２０２）の少なくとも一方が、２つのプロファイル部材側面（２０４，２０５）を有し、
２つの前記プロファイル部材側面（２０４，２０５）がお互いに対して傾斜して延び、特にお互いに対して90°の角度で延び、好ましくはお互いに統合し、
前記押し込み部（２，３）の第１の部分が、２つの前記プロファイル部材側面（２０４，２０５）の第１の側面に係合し、
前記押し込み部（２，３）の第２の部分が、２つの前記プロファイル部材側面（２０４，２０５）の第２の側面に係合することを特徴とする請求項８記載のスイッチギアキャビネット（３００）。
【請求項１０】
２つの前記プロファイル部材側面（２０４，２０５）の前記第１の側面は、前記スイッチギアキャビネット（３００）の内部構造用の収納部（２０１）の配置を有し、
少なくとも180°から成る方向の変化を有している折り曲げられた縁部（２０７）を用いて前記第２のプロファイル部材側面に統合する他方のプロファイル部材側面（２０６）を有する、２つの前記プロファイル部材側面（２０４，２０５）の当該第２のプロファイル側面が、前記筐体フレーム（２００）に対して前記パネル（１００）を封止するためのシール縁部（２０８）を形成していることを特徴とする請求項９記載のスイッチギアキャビネット（３００）。
【請求項１１】
前記パネル（１００）は、前記ねじ山付きの通路（４）内に螺入されたねじ（４００）により、前記パネルホルダ（１）に接続され、
前記ねじ（４００）は、前記ねじ山付きの通路の電気的接触用のくぼみ先（４０１）を有し、かつ、前記パネル（１００）の方に向いている前記ねじ（４００）のねじ頭側面にギアの歯（４０２）を有していることを特徴とする請求項８〜１０のいずれか１項に記載のスイッチギアキャビネット（３００）。
【請求項１２】
前記スイッチギアキャビネット（３００）の内部構造用の取付シャーシ（５００）をさらに有し、
２つの前記プロファイル部材側面（２０４，２０５）の前記第１の側面が収納部（２０１）の配置を有し、
前記取付シャーシ（５００）は、その固定フランジ（５０１）により、前記収納部（２０１）を有している前記プロファイル部材側面（２０４）に取付けられ、
ａ）前記固定フランジ（５０１）が切り欠き部（５０２）を有し、当該切り欠き部（５０２）に、前記プロファイル部材側面（２０４）に係合している前記押し込み部（２）が収容され、および／または
ｂ）前記固定フランジ（５０１）が、前記収納部（２０１）の１つと整列するフィードスルー（５０３）を有し、前記パネルホルダ（１）が、当該フィードスルー（５０３）を通って前記第１のプロファイル部材側面（２０４）に係合している前記押し込み部（２）を使用して、前記第１のプロファイル部材側面（２０４）内に係合し、前記第１のプロファイル部材側面（２０４）に係合している前記押し込み部（２）が当接歯（１１）を有し、当該当接歯（１１）を使用して、前記押し込み部（２）が前記フィードスルー（５０３）の縁部（５０４）に電気的に接触していることを特徴とする請求項９〜１１のいずれか１項に記載のスイッチギアキャビネット（３００）。
【発明の詳細な説明】
【技術分野】
【０００１】
本発明は、スイッチギアキャビネットの筐体フレームにパネルを固定するためのパネルホルダを対象にしている。このようなパネルホルダはドイツ特許第１９８  ０１  ７２０号明細書、ドイツ特許第１９５  ２５  ８８１号明細書、ドイツ特許出願公開第１０３  ２８  ４０３号明細書およびドイツ特許第１９５  ２５  ８５１号明細書から周知である。
【先行技術文献】
【特許文献】
【０００２】
【特許文献１】ドイツ特許第１９８  ０１  ７２０号明細書
【特許文献２】ドイツ特許第１９５  ２５  ８８１号明細書
【特許文献３】ドイツ特許出願公開第１０３  ２８  ４０３号明細書
【特許文献４】ドイツ特許第１９５  ２５  ８５１号明細書
【特許文献５】ドイツ特許出願公開第１０  ２０１４  １０１  ４０４号明細書
【発明の概要】
【発明が解決しようとする課題】
【０００３】
先行技術から周知のパネルホルダは、比較的複雑に構成されており、したがって製造の費用がかさみ、その上、使用が複雑であるという欠点を有する。このパネルホルダ用のスイッチギアキャビネットの筐体フレームにパネルを固定するために、第１のステップで筐体フレーム上にネジで取付けられることが頻繁に必要であり、一般に、パネルを固定するために複数のパネルホルダが同時に必要とされ、これらのパネルホルダを筐体フレームに予め取付けた後では、当該パネルをこれらのパネルホルダ上にのみネジで取付けることができ、したがって、筐体フレーム上にのみネジで取付けることができる。
【０００４】
したがって本発明の目的は、製造のコスト効率が良く、使用が簡単であるように、冒頭に記載されたタイプのパネルホルダを改良することである。
【課題を解決するための手段】
【０００５】
この目的は、請求項１の特徴を有するパネルホルダにより達成される。同時に請求される請求項７には、対応するスイッチギアキャビネットが記載されている。本発明の有利な実施形態が、従属請求項の主題である。
【０００６】
それに応じて、パネルホルダは開いている留め金であり、当該パネルホルダは、２つの自由な押し込み部を有し、筐体フレームの収納部に係合するために、当該２つの自由な押し込み部がお互いに対して固定できる、ということが提供される。これらの押し込み部は、パネル用の固定フランジによりお互いに接続され、当該固定フランジがねじ山付きの通路を有し、この固定フランジは、押し込み部の一方から離れて配置され、当該ねじ山付きの通路は、押し込み部と整列して配置されている。ねじ山付きの通路を通って螺入されたねじが、当該ねじ山付きの通路と整列した押し込み部と衝突し、したがって、当該ねじが２つの押し込み部をお互いに対して固定している。
【０００７】
パネルホルダをクリップとして設計することにより、当該パネルホルダを、例えば、単純な板金形状部品として設計してもよい。このパネルホルダを、特に同一の材料から、一体的に形成することができ、および/または完全に形成することができる。このことにより、パネルホルダの製造コストを低減している。さらにクリップとして設計することで、筐体フレームのプロファイル部材の支柱の既存の収納部内に、単に押し込むこと、または単に挟持することにより、パネルホルダを、定位置に固定する方法で筐体フレームに予め取付けることができるようにし、したがって、当該パネルホルダをパネルフレームに予め取付けることを工具なしで行うことができる。ねじ山付きの通路を用いて、パネルと共にパネルホルダをネジで留めることにより、当該パネルホルダを固定しており、当該ねじ山付きの通路を、例えば、ねじ孔や溶接ナットとして形成してもよく、したがって、筐体フレームと、パネルホルダと、パネルとの間に固定接続が形成されている。
【０００８】
ねじ山付きの通路と整列した押し込み部は、ねじ山付きの通路を通って螺入されたネジのための自由面を有し、少なくともパネルホルダの弛緩状態において、または、パネルホルダが垂直プロファイル部材に予め取付けられるとき、すなわち、固定用のネジがパネルホルダ内にまだネジ留めされないときに、当該自由面が、固定フランジに対して非平行に延び、好ましくは固定フランジに対して10°から60°の角度で延び、特に好ましくは固定フランジに対して20°から50°の角度で延びている。
【０００９】
ねじ山付きの通路と整列した押し込み部が、湾曲した固定部により固定フランジに接続されてもよく、当該ねじ山付きの通路と整列した押し込み部が、湾曲した固定部の反対側に向くその端部で、筐体フレームに係合するための自由な押し込み突起を有している。
【００１０】
この場合、この押し込み突起は、ねじ山付きの通路と整列した押し込み部の、湾曲した固定部の反対側に向く端部の接触側面から突出してもよく、当該接触側面は、ギアの歯および/または当接爪を有している。
【００１１】
他方の押し込み部は、パネルホルダの外側で固定フランジの反対側に向くその端部にフック部を有してもよい。このフック部は収納部の縁の後方に係合する目的で構成されてもよく、当該フック部を用いて、当該さらなる押し込み部分が筐体フレームに係合している。このフック部は、この目的のために、パネルホルダの外側に対して開いていてもよい。パネルホルダは、一体的に統合された形状部品、特に一体的に統合された板金形状部品からのみで構成されてもよい。パネルホルダは、例えば、折り曲げられた板金形状部品であってよく、当該板金形状部品において、ねじ山付きの通路がねじ孔として形成されている。パネルホルダの弾性的挙動を調整するために、板金形状部分は、少なくとも１つの切り欠き部を有してもよい。例えば、湾曲した固定部が当該板金形状部分の一部であってもよく、当該湾曲した固定部は、少なくとも１つの材料逃げを有し、したがってパネルホルダは、この固定部の領域において、当該パネルホルダの残りの部分と比較して低い曲げトルクを有している。このようにして、ねじ孔へねじを留めることによる、パネルホルダのプレテンション時の当該パネルホルダの変形を調整できる。
【００１２】
例えば、湾曲した固定部は、パネルホルダの固定の過程において、パネルホルダの変形の全てを基本的に吸収する目的で構成されてもよい。特にパネルホルダは、固定フランジを選択して固定している過程において、パネルホルダの全ての変形を吸収するように構成されてもよく、したがって、この固定フランジは、パネルホルダの固定状態とは独立して、パネル部品用の水平な取付面を設けている。
【００１３】
ねじ山付きの通路は、例えば、固定フランジを貫通するねじ孔であってもよく、あるいは固定フランジを貫通する通路開口部に固定された圧入ナットまたは溶接ナットであってもよい。しかしながら、固定フランジを貫通するねじ山付きの通路の形成は、原則として特定の実施形態に限定されない。
【００１４】
他の態様によれば、本発明は、中空のプロファイル部材として形成される垂直の支柱および水平の支柱で作成されている筐体フレームを有するスイッチギアキャビネットに関し、当該スイッチギアキャビネットにおいて、少なくとも１枚のパネルが、上述されたタイプのパネルホルダにより筐体フレームの外側に固定されている。これらの水平および垂直の支柱は、特に、同一の支柱として設計されてもよく、すなわち、同一の断面を有する支柱として設計されてもよい。単なる一例として、これらのプロファイル部材の支柱は、ドイツ特許出願公開第１０  ２０１４  １０１  ４０４号明細書に開示されている形状の１つを有してもよい。特に、筐体フレームの外側のシール面に対して後退している取付面を有するプロファイル部材の支柱が有利であり、当該シール面と当該取付面との間に形成された収容空間にパネルホルダを収容できるようにし、筐体フレームに当該筐体フレームの外側からパネルホルダを配置できるようにしている。この密封しているフレームは、特に、筐体フレームのプロファイル部材の支柱の外側封止縁部により形成され、当該封止縁部がパネルの内側のシール要素に接触する状態となり、当該パネルが筐体フレームにねじで留められるときに、当該封止縁部がこのシール要素を押し込む可能性がある。
【００１５】
垂直な支柱および水平な支柱の少なくとも一方が、２つのプロファイル部材側面を有してもよく、当該２つのプロファイル部材側面がお互いに対して傾斜して延び、特にお互いに対して90°の角度で延び、好ましくはお互いに統合している。押し込み部の第１の部分が、これらの２つのプロファイル部材側面の第１の側面に係合してもよく、押し込み部の第２の部分が、これらの２つのプロファイル部材側面の第２の側面に係合してもよい。
【００１６】
プロファイル部材の支柱は、特に、規則的に間隔を介する収納部の配置を有するシステム穿孔（system perforation）を有してもよく、パネルホルダは、特に、プロファイル部材の支柱のシステム穿孔の収納部を用いて係合している。２つのプロファイル部材の内の第１の支柱は、この目的のために、スイッチギアキャビネットの内部構造用の収納部から作成されている配置を有してもよく、少なくとも180°から成る方向の変化を有している折り曲げられた縁部を用いて第２のプロファイル部材側面に統合する他方のプロファイル部材側面を有する、当該第２のプロファイル部材側面が、筐体フレームに対してパネルを封止するための封止縁部を形成している。既に説明されたように、このパネルは、ねじ山付きの通路内に螺入されたねじによりパネルホルダに接続されてもよい。この場合、このねじは、ねじ山付きの通路の電気的接触用のくぼみ先を有してもよく、かつ、パネルの方に向いている当該ねじのねじ頭でパネルと電気的接触をするためのギアの歯を有してもよい。
【００１７】
さらにスイッチギアキャビネットは、このスイッチギアキャビネットの内部構造用の取付シャーシを有してもよく、筐体フレームの垂直または水平のプロファイル部材の２つのプロファイル部材の側面のうちの一方が収納部の配置を有し、当該取付シャーシは、その固定フランジにより、収納部を有しているプロファイル部材側面に取付けられる。このような配置は、ドイツ特許出願公開第１０  ２０１４  １０１  ４０４号明細書から周知である。そこで、前述のパネルホルダの使用のために、この固定フランジが切り欠き部を有することが提供されてもよく、当該切り欠き部に、プロファイル部材側面に係合している押し込み部が収容されている。その代わりに、または、それに加えて、この固定フランジが、収納部の１つと整列するフィードスルーを有することが提供されてもよく、パネルホルダが、当該フィードスルーを通って第１のプロファイル部材側面に係合している押し込み部を使用して当該第１のプロファイル部材側面内に係合し、第１のプロファイル部材側面に係合している当該押し込み部が当接歯を有し、当該当接歯で、この押し込み部がフィードスルーの縁部に電気的に接触している。
【００１８】
パネルホルダは、例えば、ねじなどの固定手段を使用することなく、格子状の穿孔、特にスイッチギアキャビネットの筐体フレームのプロファイル部材の支柱のシステム穿孔を用いて固定するように、特に構成されてもよい。さらにパネルホルダが、スイッチギアキャビネットの側壁、後壁、および屋根面の固定用の相当部分として広く使用されてもよく、したがって、筐体フレームにおけるパネルおよび／またはパネル部品の全ての固定用に、単一の相当部品が設けられている。パネルホルダの取付用に格子状の穿孔を使用することにより、パネルホルダの取付位置を独自に特定することができ、パネルの筐体フレームへの取付けがさらに容易になる。先に示されるように、本発明によるパネルホルダは、完全に備え付けられたスイッチギアキャビネット、すなわち、特に、当該パネルホルダも固定される取付面の１つにシャーシが既に取付けられたスイッチギアキャビネットであっても、パネルホルダを取付けることができる実施形態を可能にしている。このパネルホルダが、構造的に単純なパネルホルダの構造にもかかわらず、パネルとスイッチギアキャビネットの筐体フレームとの間で効果的な等電位化が依然として確保される実施形態を可能にすることも示されている。
【図面の簡単な説明】
【００１９】
本発明のさらなる詳細は、以下の図に基づいて説明される。
【図１】パネルホルダの一実施形態を示す斜視図である。
【図２】一実施形態によるプロファイル部材の支柱と、その上に予め取付けられたパネルホルダとの配置を示す斜視図である。
【図３】一実施形態によるプロファイル部材の支柱と、その上に予め取付けられたパネルホルダおよび取付シャーシとの配置を示す斜視図である。
【図４】さらなる実施形態による、パネルホルダと、その上に予め取り付けられた取付シャーシとを有するプロファイル部材の支柱の配置を示す斜視図である。
【図５】筐体フレームにおけるパネルホルダを用いて固定された２つのパネルを有する、コーナー領域におけるスイッチギアキャビネットの水平断面詳細図である。
【図６】パネルホルダのさらなる実施形態を示す斜視図である。
【発明を実施するための形態】
【００２０】
図１は、パネルホルダ１の例示的な実施形態を示している。このパネルホルダ１は板金形状の部品として設計され、当該板金形状の部品において、このパネルホルダの様々な側面部が、折り曲げられた縁部によりお互いに統合している。パネルホルダ１は、すぐ分かるほど一体的に形成されている。パネルホルダ１は、特に、ねじ孔として設計されたねじ山付きの通路４を有する固定フランジ５を有している。平行に間隔を介した接続部５．３が、90°の折り目部５．１を用いて固定フランジ５に形成され、当該90°の折り目部５．１は、固定フランジ５のお互いに対向している側面部で、この固定フランジ５に統合している。接続部５．３の一方が固定部７に統合し、当該固定部７に関して、接続部５．３の反対側に向くその端部で第１の押し込み部２が形成される。接続部５．３の他方は、固定フランジ５を第２の押し込み部３に接続し、接続部５．３と第２の押し込み部３との間にオフセット部５．２が形成される。フック１４が、パネルホルダ１の外側１３で第２の押し込み部３の自由端に形成されている。フック１４は、スイッチギアキャビネット（図示せず）のフレーム用プロファイル部材における収納部内にぴったりと合うような方法で係合するためのフック１４の寸法を重視しており、当該収納部の縁の後方に係合している。
【００２１】
固定部７は、切り欠き部７．１を有している。したがって固定部７は、パネルホルダ１の変形の少なくとも実質的な部分を、パネルホルダ１を固定している間に吸収することができる。
【００２２】
第１の押し込み部２の偏向面６がねじ孔４と一直線に配置され、したがって、ねじ孔４を用いてパネルホルダ１内に螺入されたねじが、特定のねじ込みの深さから偏向面６に接触する。さらに螺入することにより、このねじがパネルホルダ１を固定し、特に２つの押し込み部２，３をお互いに対して固定して、既に説明されるように、当該ねじを用いてパネルホルダ１に及ぼされる曲げトルクの大部分が固定部７により吸収される。
【００２３】
第１の押し込み部２の自由端に関して、第１の押し込み部２が押し込み突起９を有し、当該押し込み突起９により、第１の押し込み部２が、フレーム用のプロファイル部材の収納部を用いて、このフレーム用のプロファイル部材内に係合できる。押し込み突起９を含んでいる接触側面１０はギアの歯１１を有し、当該ギアの歯１１を用いて、パネルホルダ１が、フレーム用のプロファイル部材の可能な塗装を通って、このフレーム用のプロファイル部材の金属導電性表面まで掘り下げることができ、したがって、パネルホルダ１とプロファイル部材との間の等電位化が確保される。
【００２４】
図２は、筐体フレーム２００の水平または垂直な支柱２０２，２０３を示しており、当該水平または垂直な支柱２０２，２０３において、パネルホルダ１が予め取付けられている。この目的のためにパネルホルダ１は、その２つの押し込み端部２，３を用いて、水平または垂直な支柱２０２，２０３の収納部２０１に係合している。弛緩状態のパネルホルダ１の形状は収納部２０１の位置および寸法に適合し、パネルホルダ１が挿入され、したがって収納部２０１にプレテンションで挟持されて、その結果、パネルホルダ１が水平または垂直な支柱２０２，２０３に係止して固定されるようにしている。収納部２０１は第１のプロファイル部材側面２０４のシステム穿孔の一部であってもよく、例えば当該システム穿孔は、スイッチギアキャビネットの内部構造用の取付側面を形成している。
フレーム用のプロファイル部材の、第２のプロファイル部材側面２０５は、第１のプロファイル部材の側面２０４に実質的に垂直に延び、したがって、２つの側面２０４，２０５がパネルホルダ１用のレセプタクルを形成している。特に、第２のプロファイル部材側面２０５は、折り曲げ部２０７を用いてさらなるプロファイル部材側面２０６とお互いに統合することにより、当該さらなるプロファイル部材側面２０６と封止用のウェブ部を形成してもよく、当該折り曲げ部２０７は、例えば180°を囲んでおり、本実施例ではさらに180°以上を囲んでいる。形成された封止縁部２０８は、例えば、パネルの内側に配置された封止要素、例えば発泡ポリウレタン封止化合物と接触状態になることができ、したがって、筐体フレームに対してパネルを封止することができる。
【００２５】
さらに、封止縁部２０８が固定フランジ５を越えて突出し、当該パネル（図示せず）がパネルホルダ１のねじ山付きの通路４を用いてねじで留められるときに、封止縁部２０８は、このパネルの内側における封止要素（図示せず）の中に入り込むことができ、および/または、それに応じて、この封止要素を変形／圧縮することができるようにしていることが理解できよう。
【００２６】
図３に示されるように、プロファイル部材の支柱の、第１のプロファイル部材側面２０４が、スイッチギアキャビネットの内部構造用の取付側面とされてもよい。第１のプロファイル部材側面２０４を用いて固定もされたパネルホルダ１が、スイッチギアキャビネット内部の内部構造を妨害しないようにするために、取付シャーシ５００は、その固定フランジ５０１において切り欠き部５０２を有し、したがって、固定フランジ５０１がこのパネルホルダ１を変更し、および／または第１の押し込み部２が取付シャーシ５００の固定フランジ５０１を通過することができる。第１の側面２０４に取付シャーシ５００を固定するために、固定フランジ５０１が通路５０３を有し、当該通路５０３は、第１の側面２０４の収納部２０１と一直線となっており、したがって、例えば、ねじコネクタを使用して導くために使用することができる。
【００２７】
図４は、図３による配置に代えて、または図３による配置に加えて、取付シャーシ５００の固定フランジ５０１がフィードスルー５０３を有する実施形態を示し、当該フィードスルー５０３により、第１の押し込み部２が、少なくともその押し込み突起９を用いて、第１の側面２０４を通って、当該第１の側面２０４内に係合することができる。この第１の押し込み部２は、その接触側面１０を用いて、特に、接触側面１０において形成されたギアの歯１１により、フィードスルー５０３の縁５０４を圧迫し、したがって、パネルホルダ１とマウントシャーシ５００との間に等電位化が形成される。
【００２８】
図５は、コーナー領域におけるスイッチギアキャビネット３００を示し、より正確には、コーナー領域におけるスイッチギアキャビネット３００を通る水平断面を示している。スイッチギアキャビネット３００の筐体フレーム２００が参照できよう。当該筐体フレーム２００は、お互いに垂直な２つの水平な支柱２０２と、これらの水平な支柱２０２に垂直である垂直な支柱２０３とのコーナー領域に組み立てられる。いずれの場合にも、２つのパネル１００は、垂直な支柱２０３において、パネルホルダ１を用いてお互いに垂直に固定されている。パネルホルダ１は、いずれの場合にも、第２のプロファイル部材側面２０５の収納部を用いてパネルホルダ１のフック１４と係合し、第２のプロファイル部材側面２０５の後方に係合する一方で、第１の押し込み部２が、押し込み突起９（図１参照）を有することができるその自由端を使用し、第１のプロファイル部材側面２０４のさらなる収納部２０１により垂直なプロファイル部材内に係合している、ということが参照できよう。
【００２９】
パネル１００は、くぼみ先４０１を有するねじ４００を用いて、パネルホルダ１の外周にそれぞれ固定され、ねじ４００は、その円錐形の先端を使用して、第１の押し込み部２の偏向面６を圧迫し、したがって、ねじ山付きの通路４によりねじ４００をパネルホルダ１に螺入する過程において、押し込み部２，３がお互いに対して固定され、その結果として、パネル１００と、パネルホルダ１と、垂直なプロファイル部材２０３との間に固定接続が形成される。ねじ４００は、そのネジ頭の下側にギアの歯４０２を有し、したがって等電位化が、ねじ４００とパネル１００との間にも設けられている。等電位化は、くぼみ先４０１およびねじ山付きの通路４を用いて、カップ４００とパネルホルダ１との間に確保される。パネルホルダ１は、ギアの歯１１（図１参照）を用いて、パネルホルダ１自体と第１のプロファイル部材側面２０４との間の等電位化を再度確保し、その結果、パネルホルダ１自体と垂直な支柱２０３との間の等電位化を再度確保し、したがって、パネルホルダ１自体と筐体フレーム２００との等電位化を再度確保している。最終的に、垂直なプロファイル部材２０３の封止縁部２０８が、ねじ山付きの通路４を有する固定フランジ５を越えて突出していることが示され、したがって、パネル１００がパネルホルダ１に固定されるときに、封止縁部２０８が、パネル１００内側におけるシール要素１０１に入り、および/または当該シール要素１０１を圧迫し、その結果、パネル１００により、筐体フレーム２００に関して封止される。
【００３０】
図６はパネルホルダのさらなる実施形態を示し、当該図６において、ねじ山付きの通路４が、図１による実施形態のように固定フランジ５を通るねじ孔として形成されておらず、むしろ、その代わりに、固定フランジ５の通路開口部１５に固定された圧入ナットにより提供されている。この場合、当該圧入ナットは、固定フランジ５の下側から当該固定フランジ５の通路開口部１５内に圧入され、したがって、この圧入ナットは２つの対向する接続部５．３の間に収容され、当該２つの対向する接続部５．３は、90°に折り曲げられた縁部を用いて、固定フランジに形成される。
【００３１】
上述の説明、図面および特許請求の範囲に開示された本発明の特徴は、本発明の実施のために、単独、および任意の組み合わせの両方で必須であり得る。
【符号の説明】
【００３２】
１  パネルホルダ
２  第１の押し込み部
３  第２の押し込み部
４  ねじ山付きの通路
５  固定フランジ
５．１  90°に折り曲げられた縁部
５．２  オフセット部
５．３  接続部
６  偏向面
７  固定部
７．１  切り欠き部
８  反対側に向く端部
９  押し込み突起
１０  接触側面
１１  ギアの歯
１２  反対側に向く端部
１３  外側
１４  フック
１５  通路開口部
１００  パネル
１０１  シール要素
２００  筐体フレーム
２０１  収納部
２０２  水平な支柱
２０３  垂直な支柱
２０４  第１のプロファイル部材側面
２０５  第２のプロファイル部材側面
２０６  さらなるプロファイル部材側面
２０７  折り曲げ縁部
２０８  封止縁部
３００  スイッチギアキャビネット
４００  ねじ
４０１  くぼみ先
４０２  ギアの歯
５００  取付シャーシ
５０１  固定フランジ
５０２  切り欠き部
５０３  フィードスルー
５０４  縁
【図１】
2019522452.tif 000003
【図２】
2019522452.tif 000004
【図３】
2019522452.tif 000005
【図４】
2019522452.tif 000006
【図５】
2019522452.tif 000007
【図６】
2019522452.tif 000008
【国際調査報告】
2019522452.tif 000009
2019522452.tif 000010
2019522452.tif 000011
2019522452.tif 000012